(57)【要約】【課題】一人でも素早く簡単に、且つ、着用者の体形に合わせてきれいに着ることができ、着崩れせずに長時間気軽に着用できる着物を提供する。【解決手段】着物１は、左右の前身頃２ａ，２ｂと、後身頃３と、衿４と、左右の袖５ａ，５ｂと、を備え、中間部が左前身頃２ａのウェストライン上に取り付けられた第１の紐部材１０と、中間部が右前身頃２ｂのウェストライン上に取り付けられた第２の紐部材２０と、中間部が後身頃３のウェストライン上に取り付けられた第３の紐部材３０と、一方の脇に形成された紐通し穴４０と、を備える。【選択図】図１
2008297650.tif 000002
【特許請求の範囲】
【請求項１】
左右の前身頃と、後身頃と、衿と、左右の袖と、を備えた着物であって、
中間部が左前身頃のウェストライン上に取り付けられた第１の紐部材と、
中間部が右前身頃のウェストライン上に取り付けられた第２の紐部材と、
中間部が上記後身頃のウェストライン上に取り付けられた第３の紐部材と、
一方の脇に形成された紐通し穴と、を備えたことを特徴とする、着物。
【請求項２】
左右の前身頃のウェストライン上にダーツが形成されたことを特徴とする、請求項１に記載の着物。
【請求項３】
前記紐通し穴は左側の脇に形成され、
着用するときは、前記第２の紐部材の衿側の端部が着物裏側から前記紐通し穴を介して着物外側に引き出されて前記第１の紐部材の左脇側の端部及び前記第３の紐部材の左脇側の端部と結ばれ、前記第１の紐部材の衿側の端部が前記第２の紐部材の右脇側の端部及び前記第３の紐部材の右脇側の端部と結ばれることを特徴とする、請求項１又は２に記載の着物。
【発明の詳細な説明】
【技術分野】
【０００１】
本発明は、簡単に着ることができかつ着崩れし難い着物に関するものである。
【背景技術】
【０００２】
着物は通常、身丈を基準に仕立てられるので、着用するときはウェストの部分を折り曲げておはしょり（御端折り）を作ることで着丈を調整している。このため、例えば、特許文献１に開示されているように、おはしょりをうまく作るために工夫した着物が提案されている。
【特許文献１】特開２００３−３３６１０７号公報
【発明の開示】
【発明が解決しようとする課題】
【０００３】
しかし、おはしょりを作ることでおなかの所に布が重なり太って見えてしまう場合がある。また、着物丈が着用者の身長に合わなければ、おはしょりが長くなったり短くなったりして見栄えが悪くなるばかりか、おはしょりの上に巻く紐の位置や紐の締め具合いかんで着物が着崩れしてしまう。このように、着物丈が着用者の身長に合って仕立てられていないことは、着物を着る上でまず第一に苦労するところである。
【０００４】
また、着物を仕立てるときは、着用者の腰回りなどといった身体の一番太い部分を基準として作っているため、着用者の両脇の部分で着物が余ってしまう。そのため、着物を着用する際は腰紐がゆるくならないように伊達締めといわれる細長い帯を身体に巻きつける。しかし、伊達締めは着用者の腹部に圧迫感を与えることに加えて、着物にしわができて見栄えを損なうという問題があった。
【０００５】
着付けの仕上げの外見をよくするためにさまざまな補正具を使用する場合もあるが、補正具を使用する分だけ身体に身につけるものが多くなり、夏の暑い日に着物を着用する人にとって大変なものであった。
【０００６】
本発明は、上記課題を解決するために創作されたもので、一人でも素早く簡単に、且つ、きれいに着ることができ、着崩れせずに長時間気軽に着用できる着物を提供することを目的としている。
【課題を解決するための手段】
【０００７】
上記目的を達成するため、本発明に係る着物は、左右の前身頃と、後身頃と、衿と、左右の袖と、を有し、さらに、中間部が左前身頃のウェストライン上に取り付けられた第１の紐部材と、中間部が右前身頃のウェストライン上に取り付けられた第２の紐部材と、中間部が後身頃のウェストライン上に取り付けられた第３の紐部材と、一方の脇に形成された紐通し穴と、を備えたことを特徴とする。
本発明に係る着物は、好ましくは、左右の前身頃のウェストライン上にダーツが形成される。本発明の着物において、紐通し穴が左側の脇に形成される場合には、着用時には、第２の紐部材の衿側の端部が着物裏側から紐通し穴を介して着物外側に引き出されて第１の紐部材の左脇側の端部及び第３の紐部材の左脇側の端部と結ばれ、第１の紐部材の衿側の端部が第２の紐部材の右脇側の端部及び第３の紐部材の右脇側の端部と結ばれる。
【発明の効果】
【０００８】
本発明によれば、着用するときに、後身頃、前身頃のそれぞれに縫着された紐がお互いに着物を左右に引き合うことで、背側、胸側にしわが生じない。このため、着物を着用したときに伊達締めを巻き付ける必要がなく、そのままでウェストの部分がすっきりきれいに見える。
また、本発明では、左右のウェストライン近傍に形成されたダーツによって胸の丸みを出すことができると共に、後裾線が前に出ることで後姿がすっきり見える。また、左右の前身頃にもその分の裾幅が出るようになり、座る、立つ、歩く等の動作の後、素早く元通りの着姿に戻すことができる。
このように本発明によれば、一人でも素早く簡単に、且つ、きれいに着ることができ、着崩れせずに長時間気軽に着用できる着物を提供することができる。
【発明を実施するための最良の形態】
【０００９】
以下、図面を参照しながら本発明を詳細に説明する。
図１は本発明の実施形態に係る着物１を示す正面図であり、図２は着物１の背面図である。図３は着物１の左前身頃のウェスト部分の拡大図である。図４及び図５は、着物の左脇及び右脇周辺の斜視図である。
図１に示すように、着物１は、左右の前身頃２ａ、２ｂと、後身頃３と、衿４と、左右の袖５ａ、５ｂとを備える点では、従来の着物の構成と同様である。なお、後身頃３は、左後身頃３ａと右後身頃３ｂとから構成される。
本実施形態に係る着物１では、以下の構成に特徴がある。
【００１０】
先ず、着物１は、丈を着用者の身長に合わせている、即ち、余剰部分が存在しないよう予め切除等してほぼ着丈になるように長さを調整したことを特徴としている。これにより着用の際に、おはしょりを作って着物の長さを調節する作業が省かれる。なお、着丈の長さを厳密に個々の着用者に合わせて作ることなく、例えば洋服において慣用されているＬ（ラージサイズ）、Ｍ（ミドルサイズ）、Ｓ（スモールサイズ）などの段階毎に複数の典型的なサイズに分類して作製しておいても構わない。
さらに、着物１は、そのウェストライン上に複数の紐部材１０，２０，３０を取り付けたことを特徴としている。
具体的には、第１の紐部材１０が左前身頃２ａに、第２の紐部材２０が右前身頃２ｂに、第３の紐部材３０が後身頃３に、例えば縫着によって取り付けられている。各紐部材１０，２０，３０は、ウェストライン上の左前身頃２ａ、右前身頃２ｂ、後身頃３に取り付けられている。
【００１１】
各紐部材１０，２０，３０は両端部を除く中間部だけが着物に縫着され、両端部は着物表面から遊離して自由に動かすことができる。図１及び図４に示すように、第１の紐部材１０の中間部１１は、左前身頃２ａの位置Ｐ１から衿縁の位置Ｐ２迄を被着するように左前身頃２ａに取り付けられる。なお、Ｐ１は、図４に示すように、脇の境界線ＭＬから衿側へ所定距離Ｘ１〔ｃｍ〕離れたポイントである。これにより、中間部１１から連続した衿側端部１２が着物から遊離し、反対側では左脇側端部１３が着物から遊離している。境界線ＭＬは、左前身頃２ａと左後身頃３ａとの境界線である。
【００１２】
第２の紐部材２０は、図５に示すように、中間部２１が右前身頃２ｂの位置Ｐ３から衿縁の位置Ｐ４迄を被着するように右前身頃２ｂに取り付けられる。なお、Ｐ３は、図５に示すように、脇の境界線ＭＲから衿側へ所定距離Ｘ２〔ｃｍ〕離れたポイントである。これにより、中間部２１から連続した衿側端部２２が着物から遊離し、反対側では右脇側端部２３が着物から遊離している。境界線ＭＲは、右前身頃２ｂと右後身頃３ｂとの境界線である。
【００１３】
第３の紐部材３０は、図２，図４及び図５に示すように、中間部３１が後身頃３の位置Ｐ５からＰ６迄を被着するように後身頃３に取り付けられている。なお、Ｐ５は図４に示すように左脇の境界線ＭＬから背中心Ｃ側へ所定距離Ｘ３〔ｃｍ〕離れたポイントであり、Ｐ６は図５に示すように右脇の境界線ＭＲから背中心Ｃ側へ所定距離Ｘ４〔ｃｍ〕離れたポイントである。これにより、中間部３１から連続した左脇側端部３２が着物から遊離し、反対側では右脇側端部３３が着物から遊離している。
【００１４】
このような構成により、着物１のウェストライン上に第１から第３の紐部材１０，２０，３０が間欠的に配置される。即ち、図４に示すように、左脇の境界線ＭＬ付近のウェストライン上には何れの紐部材も取り付けられていない。同様に、図５に示すように、右脇の境界線ＭＲ付近のウェストライン上には何れの紐部材も取り付けられていない。
【００１５】
着物１には、左前身頃２ａに取り付けられた第１の紐部材１０の中間部１１と後身頃３に取り付けられた第３の紐部材３０の中間部３１との間に、紐通し穴４０が設けられる。この紐通し穴４０は右脇に形成されてもよい。
【００１６】
さらに、本実施形態に係る着物１では、前身頃のウェストライン上にダーツが形成されることを特徴とする。即ち、左右の前身頃２ａ、２ｂのウェストライン近傍には、それぞれダーツ５１，５２が前身頃を折り畳んで形成される。これらのダーツ５１，５２を覆うように、第１の紐部材１０と第２の紐部材２０とは左前身頃２ａと右前身頃２ｂに取り付けられる。
【００１７】
左前身頃２ａのダーツ５１は、以下の折り線を境に左前身頃２ａを折り畳み縫着することで形成される。即ち、図３に示すように、左前身頃２ａのウェストラインＬ０と衿付け線とが交差した位置Ａ１より距離ｄ１下げた位置Ａ２から左脇の位置Ａ３に引いた線Ｌ１が折り線であり、この折り線Ｌ１より下側の布を摘んで（摘み幅ｄ２）、折り線Ｌ１より上側の布に重ね、重なった布同士を縫い合わせることでダーツ５１が形成される。ここで、位置Ａ３はウェストラインＬ０と左脇の境界線ＭＬとが交差するポイントである。ｄ１及びｄ２はそれぞれ約２ｃｍ程度が好ましい。右前身頃２ｂに設けられたダーツ５２も同様にして形成される。
【００１８】
上記ダーツ５１横の着物１の左脇には、図６に示すように、着物幅が狭まるように括れ部６０が形成される。ここで、脇を内側にＸ５ｃｍ、具体的には約２ｃｍ程度カットし縫合するのが望ましい。図示を省略するが、右脇にも括れ部が形成される。
【００１９】
後衿は図７に点線で示す通常の着物の後衿付位置Ｐ７より下方であり、好ましくは、肩より下方へＸ６ｃｍ、具体的には大人用の着物であれば５〜８ｃｍ、子供用の着物であれば２〜４ｃｍ離れた位置Ｐ８に取り付けられる。
【００２０】
左右の前身頃２ａ、２ｂの裾線は、内側の端部が脇側よりも上方へ位置するように、図１に示す斜線領域α１、α２をカットすると良い。
【００２１】
以上のように構成された本実施の形態の着物１を着用する手順について説明する。
まず、着物１を羽織り、袖５ａ、５ｂに左右の腕を通す。次に、右前身頃２ｂを身体に合わせ、第２の紐部材２０の衿側端部２２を左前身頃２ａの裏側奥部に入れ、紐通し穴４０を介して着物の外側に引き出す。
そして、引き出した衿側端部２２を左脇の第１の紐部材１０の左脇側端部１３及び第３の紐部材３０の左脇側端部３２と結ぶ。なお、第１の紐部材１０の左脇側端部１３と第３の紐部材３０の左脇側端部３２とを先に結んでから、紐通し穴４０から引き出した第２の紐部材２０の衿側端部２２を第１の紐部材１０の左脇側端部１３及び／又は第３の紐部材３０の左脇側端部３２に結ぶようにしてもよい。
【００２２】
次に、左前身頃２ａを身体に合わせ、第１の紐部材１０の衿側端部１２を右脇まで回した後に、衿側端部１２を第２の紐部材２０の右脇側端部２３及び第３の紐部材３０の右脇側端部３３と結ぶ。なお、第２の紐部材２０の右脇側端部２３と第３の紐部材３０の右脇側端部３３とを先に結んでから、第１の紐部材２０の衿側端部１２を第２の紐部材２０の右脇側端部２３及び／又は第３の紐部材３０の右脇側端部３３に結ぶようにしてもよい。
このようにして、着物１を着用することができる。
【００２３】
本発明の実施形態に係る着物１では、着物１の長さが予め着用者の着丈にほぼ一致するような長さになっていることから、着用の際に着物の長さを調節する作業が省かれる。
【００２４】
また、着物１では、ウェストライン上に複数の紐部材１０，２０，３０を間欠的に配置し、着用の際に、隣接する紐部材１０，２０，３０の端部同士を結ぶことで、後身頃、前身頃のそれぞれに縫着された紐がお互いに着物を左右に引き合う。これにより、背側、胸側にしわの発生が防止される。このため、着物１を着用したときに伊達締めをしなくともウェストの部分がすっきりしてきれいに見せることができる。したがって、本発明の着物１によれば、着物を着るときに従来問題となっていた手間を省くことができ、きれいに着物を着ることができる。また、胴回りに紐を巻回することがないので、着用者に圧迫感を与えることもない。なお、着物１を着用した後このまま帯を締めてもよいが伊達締めのような細い帯状のものを胴に巻いてもよい。
【００２５】
ダーツ５１，５２を形成することにより、胸の丸みを出すと共に、後裾線が前に出て後姿がすっきり見える。また、左右の前身頃２ａ、２ｂにもその分の裾幅が出るため、座る、立つ、歩く等の動作の後、素早く元通りの着姿に戻すことができる。
【００２６】
図６に示すように、着物１の脇には括れ部６０が形成されているので、着用時に着物の脇が着用者の体形にフィットする。よって、脇部分での着物のもたつきがなくなるため、着物１をきれいに着用できる。
【００２７】
図７に示すように、本実施形態の着物１では、後衿が通常の着物の後衿より下方に取り付けられている。よって、着用者は着物１を後ろに下げて着る必要がないので、着物１は着崩れし難い。
【００２８】
以上説明したが、本発明は、その趣旨を逸脱しない範囲において様々な形態で実施することができ、浴衣、子供用の着物、長襦袢などにも適用できる。着物の素材は、着付けが可能な素材であれば何でもよい。また、紐部材１０，２０，３０同士の連結方法は、紐同士を結ぶことに限られず、例えば面ファスナーなどで連結してもよい。
【図面の簡単な説明】
【００２９】
【図１】本発明の一実施形態に係る着物を示す正面図である。
【図２】図１の着物の背面図である。
【図３】図１の着物の左前身頃のウェスト部分を拡大した図である。
【図４】図１の着物の左脇周辺の斜視図である。
【図５】図１の着物の右脇周辺の斜視図である。
【図６】図１の着物の左脇の括れ部を説明する図である。
【図７】図１の着物の後衿の取付位置を説明する図である。
【符号の説明】
【００３０】
１  着物
２ａ  左前身頃
２ｂ  右前身頃
３ａ  左後身頃
３ｂ  右後身頃
４  衿
５ａ、５ｂ  袖
６ａ、６ｂ  ダーツ
１０  第１の紐部材
２０  第２の紐部材
３０  第３の紐部材
４０  通し穴
５１，５２  ダーツ
６０  括れ部
【図１】
2008297650.tif 000003
【図２】
2008297650.tif 000004
【図３】
2008297650.tif 000005
【図４】
2008297650.tif 000006
【図５】
2008297650.tif 000007
【図６】
2008297650.tif 000008
【図７】
2008297650.tif 000009
【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
左右の前身頃と、後身頃と、衿と、左右の袖と、を備えた着物であって、
中間部が左前身頃のウェストライン上に取り付けられた第１の紐部材と、
中間部が右前身頃のウェストライン上に取り付けられた第２の紐部材と、
中間部が上記後身頃のウェストライン上に取り付けられた第３の紐部材と、
一方の脇に形成された紐通し穴と、を備え、
上記紐通し穴は左側の脇に形成され、
着用するときは、上記第２の紐部材の衿側の端部が着物裏側から上記紐通し穴を介して着物外側に引き出されて上記第１の紐部材の左脇側の端部及び上記第３の紐部材の左脇側の端部と結ばれ、上記第１の紐部材の衿側の端部が上記第２の紐部材の右脇側の端部及び上記第３の紐部材の右脇側の端部と結ばれることを特徴とする、着物。
【請求項２】
左右の前身頃のウェストライン上にダーツが形成されたことを特徴とする、請求項１に記載の着物。
【請求項３】
おはしょりとなる部分が存在しないよう着用者の身長に合わせて着丈が調整されていることを特徴とする、請求項１に記載の着物。
【手続補正２】
【補正対象書類名】明細書
【補正対象項目名】０００７
【補正方法】変更
【補正の内容】
【０００７】
上記目的を達成するため、本発明に係る着物は、左右の前身頃と、後身頃と、衿と、左右の袖と、を有し、さらに、中間部が左前身頃のウェストライン上に取り付けられた第１の紐部材と、中間部が右前身頃のウェストライン上に取り付けられた第２の紐部材と、中間部が後身頃のウェストライン上に取り付けられた第３の紐部材と、一方の脇に形成された紐通し穴と、を備え、紐通し穴が左側の脇に形成され、着用時には、第２の紐部材の衿側の端部が着物裏側から紐通し穴を介して着物外側に引き出されて第１の紐部材の左脇側の端部及び第３の紐部材の左脇側の端部と結ばれ、第１の紐部材の衿側の端部が第２の紐部材の右脇側の端部及び第３の紐部材の右脇側の端部と結ばれることを特徴とする。
本発明に係る着物は、好ましくは、左右の前身頃のウェストライン上にダーツが形成される。
【手続補正３】
【補正対象書類名】図面
【補正対象項目名】図２
【補正方法】変更
【補正の内容】
【図２】
2008297650.tif 000010
【手続補正４】
【補正対象書類名】図面
【補正対象項目名】図７
【補正方法】変更
【補正の内容】
【図７】
2008297650.tif 000011